(57)【要約】【課題】車両の発進時、エンジンと逆方向にモータ／発電機を回転させるパラレルハイブリッド車両において、蓄電装置がフル充電状態にあるときに当該蓄電装置の過充電を防止する。【解決手段】車両の発進時、充電装置６の充電量が所定値以上である場合には、車両の発進と同時にロックアップクラッチ３６へのクラッチ油圧を漸増し、クラッチを滑らせながらエンジントルクＴE を大きくすることで、モータ／発電機回転数ＮM/G をエンジン１と同方向への回転に近づける。モータ／発電機回転数ＮM/G が、蓄電装置６との充放電効率“０”の所定回転数ＮM/G0以上になったら、駆動トルクとなるモータ／発電機トルクＴM/G を発生させて加速力を得ると共に発電自体を回避する。エンジン回転数ＮE とモータ／発電機回転数ＮM/G との差が所定値以下になったらロックアップクラッチ３６を完全締結する。【選択図】図３
2005176481.tif 000002
【特許請求の範囲】
【請求項１】
エンジンと、発電機及び電動機の両機能を備え且つ蓄電装置を電動源とし且つ発電された電力を当該蓄電装置に蓄電可能な電気的回転駆動源と、変速装置と、第１軸に前記エンジンの出力軸が接続され且つ第２軸に前記電気的回転駆動源の出力軸が接続され且つ第３軸に前記変速装置の入力軸が接続された差動装置と、前記差動装置の第１軸乃至第３軸のうちの何れか二軸間を断続する締結装置と、前記エンジンの駆動トルクを制御すると共に、車両の発進時には前記電気的回転駆動源を当該エンジンの回転方向と逆方向に回転させながら当該電気的回転駆動源の駆動トルクを制御する駆動源制御手段と、車両の発進時には前記締結装置を非締結状態とし且つ前記差動装置の第１軸乃至第３軸の回転数差が所定値以下になったときに前記締結装置を締結状態に制御する締結装置制御手段と、前記蓄電装置の充電状態を検出する充電状態検出手段とを備え、前記締結装置制御手段は、車両の発進時で且つ前記充電状態検出手段で検出された蓄電装置の充電状態が所定値以上の充電状態であるときには前記締結装置の締結を開始することを特徴とするパラレルハイブリッド車両。
【請求項２】
前記駆動源制御手段は、車両の発進時で且つ前記充電状態検出手段で検出された蓄電装置の充電状態が所定値以上の充電状態であるときには、前記エンジンの回転方向と逆方向の電気的回転駆動源の回転数が蓄電装置との充放電効率零の所定回転数になるまでは駆動トルクを禁止し、前記電気的回転駆動源の回転数が前記充放電効率零の所定回転数になってから駆動トルクを出力するように当該電気的回転駆動源の駆動トルクを制御することを特徴とする請求項１に記載のパラレルハイブリッド車両。
【請求項３】
前記駆動源制御手段は、車両の発進時で且つ前記充電状態検出手段で検出された蓄電装置の充電状態が所定値以上の充電状態であるときには、前記エンジンの回転方向と逆方向の電気的回転駆動源の回転数が蓄電装置との充放電効率零の所定回転数になるまでの駆動トルクを、前記蓄電装置の充電状態が所定値未満の充電状態であるときの駆動トルクよりも小さな値に制御することを特徴とする請求項１に記載のパラレルハイブリッド車両。
【請求項４】
前記締結装置制御手段は、車両の発進時で且つ前記充電状態検出手段で検出された蓄電装置の充電状態が所定値以上の充電状態であるときには、前記エンジンの回転方向と逆方向の電気的回転駆動源の回転数が蓄電装置との充放電効率零の所定回転数になったときに前記締結装置の締結状態をそのときの締結状態に保持し、前記差動装置の第１軸乃至第３軸の回転数差が所定値以下になったときに前記締結装置を完全に締結することを特徴とする請求項２又は３に記載のパラレルハイブリッド車両。
【発明の詳細な説明】
【技術分野】
【０００１】
本発明は、エンジンと、発電機を兼ねる電気的回転駆動源としての電動機とを有し、これらの出力トルクを、トルク合成機構である差動装置を介して変速装置に伝達することにより、エンジン及び電動機の何れか一方又は双方で走行駆動力を得るようにしたパラレルハイブリッド車両に関するものである。
【背景技術】
【０００２】
従来のパラレルハイブリッド車両としては、例えばエンジンの出力トルクと、電動発電機（電気的回転駆動源）の出力トルクとを、遊星歯車機構からなる差動装置によって合成し、それを変速装置を介して駆動輪に伝達する（例えば特許文献１）。このパラレルハイブリッド車両の発進方法は、まず電動発電機をエンジンの回転方向と逆方向に回転させて当該エンジンの回転数の上昇を抑制しながら当該電動発電機に駆動トルクを発生させてその回転数を増大、つまりエンジンの回転方向と同じ回転方向に変更し、更に電動発電機の回転数をエンジンの回転数に一致するように当該電動発電機に駆動トルクを発生させ続けて、この電動発電機の回転数とエンジンの回転数とが一致又はほぼ一致したら、エンジンと電動発電機とをロックアップクラッチ（締結装置）で直結し、それ以後は、走行速度が低下しない限り、エンジンのみ、又はエンジンと電動発電機とで駆動力を発生するようにしている。
【特許文献１】特開平１０−３０４５１５号公報
【発明の開示】
【発明が解決しようとする課題】
【０００３】
ところで、前記パラレルハイブリッド車両では、発進時、電動発電機をエンジンの回転方向と逆方向に回転させながら駆動トルク、即ち正のトルクを発生させるので、このときには電動発電機は発電している。しかしながら、このとき、前記バッテリの蓄電状態が大きいと当該バッテリが過充電になるという問題がある。
本発明は上記諸問題を解決するために開発されたものであり、車両の発進時、電気的回転駆動源をエンジンの回転方向と逆方向に回転させながら駆動トルクを発生させるにあたって、蓄電装置の過充電を防止することができるパラレルハイブリッド車両を提供することを目的とするものである。
【課題を解決するための手段】
【０００４】
上記諸問題を解決するため、本発明のパラレルハイブリッド車両は、エンジン及び電気的回転駆動源及び変速装置間に差動装置を介装し、車両の発進時、電気的回転駆動源をエンジンの回転方向と逆方向に回転させながら駆動トルクを発生させるにあたり、蓄電装置の充電状態が所定値以上の充電状態である場合には、前記差動装置の第１乃至第３軸を断続するための締結装置の締結を開始することを特徴とするものである。
【発明の効果】
【０００５】
而して、本発明のパラレルハイブリッド車両によれば、車両の発進時、電気的回転駆動源をエンジンの回転方向と逆方向に回転させながら駆動トルクを発生させるにあたり、蓄電装置の充電状態が所定値以上の充電状態である場合には、差動装置の第１乃至第３軸を断続するための締結装置の締結を開始する構成としたため、前記締結装置を滑らせながら電気的回転駆動源の回転方向をエンジンの回転方向に近づけることができ、その結果、例えば電気的回転駆動源の回転数が蓄電装置との充電効率零の所定値になってから駆動トルクを発生することにより、蓄電装置の過充電を防止することが可能となる。なお、充電効率が零である状態とは、電気的回転駆動源が力行或いは回生しているにもかかわらず、当該電気的回転駆動源と蓄電装置との間で電流が流れない又はほとんど流れない状態を示す。
【発明を実施するための最良の形態】
【０００６】
以下、本発明のパラレルハイブリッド車両駆動装置の実施の形態を図面に基づいて説明する。なお、本発明の実施の形態において、正方向とはエンジンの回転方向であり、負方向とはエンジンの回転方向とは逆方向を示す。
図１は、本発明の第１実施形態を示す概略構成図であり、エンジン１及び発電機及び電動機として作用する３相同期モータ／発電機で構成される交流式のモータ／発電機（電気的回転駆動源）２の出力側が、夫々、トルク合成機構である差動装置（遊星歯車機構）３の入力側に連結され、この差動装置３の出力側がトルクコンバータ等の発進装置を搭載していない変速装置４の入力側に接続され、変速装置４の出力側が図示しない終減速装置等を介して駆動輪５に連結されている。ちなみに、この実施形態では、前記差動装置３と変速装置４との間に、オイルポンプ１３が配設されており、このオイルポンプ１３で創成される流体圧が変速装置４の制御並びに差動装置３のロックアップクラッチ（締結装置）３６の締結解放に用いられる。
【０００７】
ここで、前記エンジン１はエンジン用コントローラＥＣによって制御される。また、前記モータ／発電機２は、例えば図２に示すステータ２Ｓとロータ２Ｒとを有し、充電可能なバッテリやコンデンサで構成される蓄電装置６に接続されたモータ／発電機駆動回路７によって駆動制御される。
前記モータ／発電機駆動回路７は、蓄電装置６に接続されたチョッパ７ａと、このチョッパ７ａとモータ／発電機２との間に接続された例えば６つのＩＧＢＴを有し、直流を３相交流に変換するインバータ７ｂとで構成され、前記チョッパ７ａに後述するモータ／発電機用コントローラ１２からのデューティ制御信号ＤＳが入力されることにより、このデューティ制御信号ＤＳに応じたデューティ比のチョッパ信号をインバータ７ｂに出力する。このインバータ７ｂは、図示しないモータ／発電機２のロータの回転位置を検出する位置センサの回転位置検出信号に基づいて、その回転に同期した周波数で駆動する３相交流を形成するように、例えば前記各ＩＧＢＴのゲート制御信号を形成する。ちなみに、モータ／発電機２はエンジン１同様、車両を駆動するためにも用いられるので、車両を駆動する側への回転方向、つまりエンジン１と同じ回転方向を正回転とし、その逆方向への回転方向を逆回転又は負の回転と定義する。
【０００８】
また、差動装置３は、図２に示すように、トルク合成機構として遊星歯車機構２１を備えて構成されている。この遊星歯車機構２１は、エンジン１とモータ／発電機との間で差動機能を発現しながらトルク合成機構をなすものである。そして、サンギヤＳと、その外周側に等角間隔で噛合する複数のピニオンＰ（図示省略）と、各ピニオンＰを連結するピニオンキャリヤＣと、ピニオンＰの外側に噛合するリングギヤＲとを備え、この遊星歯車機構２１のリングギヤＲ（第１軸）がエンジン１に連結され、同じく遊星歯車機構２１のサンギヤＳ（第２軸）がモータ／発電機２のロータ２Ｒに連結され、同じく遊星歯車機構２１のピニオンキャリヤＣ（第３軸）が変速装置４の入力側に連結されている。
【０００９】
また、前記遊星歯車機構２１のサンギヤＳ、即ちモータ／発電機２のロータ２Ｒとエンジン１の出力側との間には、両者の連結状態を制御するためのロックアップクラッチ３６が介装されている。また、前記遊星歯車機構２１のピニオンキャリヤＣ、即ち変速装置４の入力側とケース１４との間には、当該ピニオンキャリヤＣ、及び変速装置４の回転方向を正回転にのみ規制し、逆回転では締結して、当該逆回転を許容しないワンウエイクラッチＯＷＣが介装されている。なお、前記エンジン１と遊星歯車機構２１のリングギヤＲとの間にはダンパを介装してもよい。
【００１０】
前記ロックアップクラッチ３６は、例えば湿式多板クラッチで構成される。このロックアップクラッチ３６は、油圧コントローラ（締結制御手段）３７からの油圧がシリンダ部３６ａに給排されることにより締結及び解放が行われる。前記油圧コントローラ３７は、前記モータ／発電機用コントローラ１２によって制御される電磁弁３８と、前記オイルポンプ１３で生成された油圧を元圧とし且つ前記電磁弁３８からの出力圧を信号圧として、前記シリンダ部３６ａに供給する油圧を調圧する調圧弁３９と、前記調圧弁３９の下流側に設けられ且つ前記シリンダ部３６ａへの供給圧が所定値以上になるとＯＮとなって当該供給圧を検出可能な油圧スイッチ４０とを備えて構成される。前記電磁弁３８は、前記モータ／発電機コントローラ１２から供給される制御信号ＣＳが低レベルであるときに前記遊星歯車機構２１のリングギヤＲ、即ちエンジン１と変速装置４とを切り離した非締結状態になるように、また当該制御信号ＣＳが高レベルであるときに両者間を連結した締結状態になるように前記調圧弁３９を制御する。
【００１１】
さらに、前記変速装置４は、変速装置用コントローラＴＣによって、走行速度とスロットル開度とをもとに予め設定された変速制御マップを参照して決定された例えば第１速〜第４速の変速比に制御される。ちなみに、この変速装置４は周知の自動変速装置であり、例えば二組の遊星歯車機構の各要素を複数の摩擦要素によって締結解放することで前進４速の変速比を達成可能としており、各摩擦要素の締結解放に前記オイルポンプ１３で創成された油圧が用いられる。また、この変速装置４には、締結することにより図示しない駆動輪側からの逆駆動力、所謂路面反力トルクをトルク合成機構側に伝達可能なエンジンブレーキ用クラッチを有している。なお、この変速装置用コントローラＴＣは、前記エンジン用コントローラＥＣと相互通信を行っており、必要な情報は随時、互いに授受している。
【００１２】
また、エンジン１及びモータ／発電機２には、その出力軸の回転数を検出するエンジン回転数センサ８及びモータ／発電機回転数センサ９が設けられていると共に、図示しないセレクトレバーで選択されたレンジに応じたレンジ信号を出力するインヒビタースイッチ１０及びアクセルペダルの踏込みに応じたスロットル開度を検出するスロットル開度センサ１１及び自車両の走行速度を検出するための走行速度センサ１４及びブレーキペダルの踏込み状態に応じたブレーキ液圧を検出するブレーキ液圧センサ１５が設けられ、これら回転数センサ８及び９の回転数検出値ＮE 及びＮM/G とインヒビタースイッチ１０のレンジ信号ＲＳ及びスロットル開度センサ１１のスロットル開度検出値ＴＨ及び走行速度センサ１４の走行速度Ｖ及びブレーキ液圧センサ１５のブレーキ液圧Ｐ及び前記油圧スイッチ４０のスイッチ信号等がモータ／発電機２及びロックアップクラッチ３６を制御するモータ／発電機用コントローラ１２に供給される。また、前記モータ／発電機用コントローラ１２は、少なくとも前記変速装置用コントローラＴＣと相互通信を行い、例えば変速装置４のギヤ比（変速段）やエンジンブレーキ用クラッチの締結解放状態といった情報を、変速装置信号ＴＳとして入力すると共に、個別の演算処理によって設定されたギヤ比（変速段）が変速装置４内で達成されるように変速装置用コントローラＴＣに指令を出力したりするように構成されている。
【００１３】
前記モータ／発電機用コントローラ１２は、少なくとも入力側インタフェース回路１２ａ、演算処理装置１２ｂ、記憶装置１２ｃ及び出力側インタフェース回路１２ｄを有するマイクロコンピュータ１２ｅで構成されている。
入力側インタフェース回路１２ａには、エンジン回転数センサ８のエンジン回転数ＮE 、モータ／発電機回転数センサ９のモータ／発電機回転数ＮM/G 、インヒビタースイッチ１０のレンジ信号ＲＳ、スロットル開度センサ１１のスロットル開度検出値ＴＨ、走行速度センサ１４の走行速度Ｖ、油圧スイッチ４０のスイッチ信号及びブレーキ液圧センサ１５のブレーキ液圧Ｐ及び前記変速装置用コントローラの変速装置信号ＴＳが入力されている。
【００１４】
演算処理装置１２ｂは、例えばキースイッチ（図示せず）がオン状態となって所定の電源が投入されることにより作動状態となり、先ず初期化を行って、モータ／発電機２への駆動デューティ制御信号ＭＳ及び発電デューティ制御信号ＧＳをオフ状態とすると共に、ロックアップクラッチ３６へのクラッチ制御信号ＣＳもオフ状態とし、その後少なくとも発進時にエンジン回転数検出値ＮE 、モータ／発電機回転数検出値ＮM/G 、レンジ信号ＲＳ及びスロットル開度検出値ＴＨ等に基づいてモータ／発電機２及びロックアップクラッチ３６を制御する。ちなみに、この実施形態では、車両の停車時にエンジン１の回転を停止する、所謂アイドリングストップを行うように構成されている。
【００１５】
記憶装置１２ｃは、演算処理装置１２ｂの演算処理に必要な処理プログラムを予め記憶していると共に、演算処理装置１２ｂの演算過程で必要な各種データを記憶する。
出力側インタフェース回路１２ｄは、演算処理装置１２ｂの演算結果である駆動デューティ制御信号ＭＳ及び発電デューティ制御信号ＧＳとクラッチ制御信号ＣＳとをモータ／発電機駆動回路７及び電磁ソレノイド３６ａに供給する。ちなみに、前記モータ／発電機２では、逆起電力を利用することにより、車両に制動力を付与することも可能である。
【００１６】
次に、走行状態、蓄電装置の状態、車両の操作状態に応じて前記モータ／発電機用コントローラ１２で行われる通常時の制御によるエンジン１及びモータ／発電機２の各種の作動状態について説明する。
前述のように、本実施形態ではアイドリングストップによって、車両の停車中にエンジン１の回転が停止されている。そこで、セレクトレバーの操作によってドライブレンジＤを始めとする走行レンジが選択され、或いはパーキングレンジＰやニュートラルレンジＮが選択されている場合でも、スロットル開度ＴＨが“０”を越えている場合には、前記特開２００３−１０４０９０公報同様、前記モータ／発電機２を所定の回転数（必要なのは回転数とトルク）で逆回転させると、ピニオンキャリヤＣは前記ワンウエイクラッチＯＷＣによって逆回転できないため、エンジン１が正方向に回転される。この状態で、燃料を噴射することでエンジン１の回転が始動する。また、これに伴って前記オイルポンプも駆動が開始される。なお、パーキングレンジＰやニュートラルレンジＮが選択されているときには、変速装置４の入力側と出力側とが接続されていないので、前記ロックアップクラッチ３６を締結し、エンジン１とモータ／発電機２とを直結した状態で、モータ／発電機２を正回転し、正方向のトルクを発生させるようにしてもエンジン１を回転始動することも可能である。
【００１７】
このようにしてエンジン１の回転始動後に、車両を発進走行させる必要がない場合、つまりフットブレーキが踏み込まれているような場合には、そのエンジン１の回転駆動力を利用してバッテリなどの蓄電装置６に蓄電を行う。つまり、モータ／発電機２を発電機として使用し、発電を行う。このとき、セレクトレバーにより選択されている変速段がパーキングレンジＰか、或いはニュートラルレンジＮである場合には、変速装置４の入力側と出力側とが接続されていないので、前記ロックアップクラッチ３６でエンジン１とモータ／発電機２とを直結し、エンジン１でモータ／発電機２を正回転させながら負方向のトルクを与え、発電を行う。一方、ドライブレンジＤレンジを始めとする走行レンジが選択されているときには、変速装置４の入力側と出力側とが接続されているので、エンジン１でモータ／発電機２を逆回転させながら正方向のトルクを与え、発電を行う。
【００１８】
また、ドライブレンジＤを始めとする走行レンジが選択され、アクセルペダルが踏み込まれると、車両を発進させるために、ロックアップクラッチ３６の解放状態で、スロットル開度が大きくなるほど、大きな値に予め設定されている目標エンジン回転数ＮEPにエンジン１の回転数を維持しながら、モータ／発電機２を次第に正回転させるべく、当該モータ／発電機２に正方向トルクを発生せしめ、これによりピニオンキャリヤＣに正方向のトルクを与えて車両を発進加速させる。このとき、モータ／発電機２が逆回転している状態では発電機として機能し、正回転している状態ではモータとして機能している。
【００１９】
やがて、モータ／発電機２の回転数が、所定の回転数、つまり目標エンジン回転数ＮEPに維持されているエンジンの回転数に一致又はほぼ一致したら、前記ロックアップクラッチ３６を締結し、エンジン１とモータ／発電機２とを直結して車両を走行する。例えば、車両が或る程度以上の走行速度で高速走行しているとか、アクセルペダルの踏込み量が大きいとか、変速装置４内の減速比が大きいとか、蓄電装置６の蓄電量が少ないといった状況では、モータ／発電機２をモータとして使用するのは不利なので、モータ／発電機２ではトルクを発生せず、所謂フリーな状態にしてエンジン１でのみトルクを発生し、走行する。一方、走行速度が低いとか、アクセルペダルの踏込み量が小さいとか、変速装置４内の減速比が小さいとか、蓄電装置６の蓄電量が多いといった状況では、モータ／発電機２をモータとして使用しても差し支えないので、モータ／発電機２を正回転し、正方向のトルクを発生させて、エンジン１のアシストを行う。
【００２０】
このような加速走行状態に対して、車両が減速状態にある、所謂エンジンブレーキの効きが期待される状況では、前記ロックアップクラッチ３６を締結したままで、モータ／発電機２を発電機として用い、駆動輪５から入力される路面反力トルクに対し、負の方向のトルクを発生させて、本来のエンジンブレーキの代わりに或いはそれに加えて制動力を強める。
【００２１】
このような一般的な走行状況の他に、本実施形態では、ドライブレンジＤを始めとする走行レンジでのクリープ走行モードが設定されている。例えば、前述したエンジン回転始動直後のような状況では、アイドル回転状態にあるエンジン１で正方向のトルクを発生させながら、モータ／発電機２で正方向のトルクを発生し、両者の合成トルクで車両をクリープ走行させる。また、エンジン１が回転始動されていないときには、モータ／発電機２を正回転させながら正方向のトルクを発生し、これにより車両をクリープ走行させることも可能である。
【００２２】
例えば、アクセルペダルが極僅かに踏み込まれている状態での車両発進時には、例えばモータ／発電機２を高速回転させて走行速度を著しく加速する必要はないので、エンジン回転始動後の逆回転状態のモータ／発電機２をゆっくりと正回転化しながら、正方向の一定のトルクを発生せしめ、エンジン１とモータ／発電機２との直結後は、更にエンジン１の出力トルクを低減させて、ほぼモータ／発電機２だけで車両を発進加速することができる。これに対して、アクセルペダル全開状態での車両発進時において、モータ／発電機２を高速回転させることは、モータトルクを低減することになり、車両を加速するには十分でないことが多いことから、エンジン回転始動後の逆回転状態のモータ／発電機２を速やかに正回転させ、エンジン１とモータ／発電機２との直結を早め、その直結後は、エンジンの出力トルクを高め、エンジン１の出力トルクとモータ／発電機２の出力トルクで車両を発進加速し、速やかに高走行速度に到達させている。
【００２３】
このようなモータ／発電機２の制御を行うために前記モータ／発電機用コントローラ１２内の演算処理装置１２ｂでは種々の演算処理が行われているが、その中で、車両発進時のエンジントルク及びモータ／発電機トルク制御のための演算処理を図３に示す。なお、このフローチャートでは、特に通信のためのステップを設けていないが、必要な情報は各コントローラや記憶装置から随時読込まれ、また演算処理で得られた情報は随時各コントローラや記憶装置に出力される。
【００２４】
この演算処理では、まずステップＳ１で、車両の発進時であるか否かの判定を行い、車両の発進時である場合にはステップＳ２に移行し、そうでない場合にはメインプログラムに復帰する。なお、車両発進時の判定は、例えば走行速度センサ１４で検出された走行速度が所定値以下、スロットル開度センサ１１で検出されたスロットル開度が所定値以上、ロックアップクラッチ３６が非締結状態である場合に車両発進時であると判定する。
【００２５】
前記ステップＳ２では、前記蓄電装置６の充電量が所定値以上であるか否かを判定し、当該蓄電装置６の充電量が所定値以上である場合にはステップＳ３に移行し、そうでない場合にはステップＳ８に移行する。蓄電装置６の充電量は、例えば当該蓄電装置６の容量に対する充電率として表される。
前記ステップＳ３では、前記ロックアップクラッチ３６のロックアップ用クラッチ油圧を少しずつ増圧してからステップＳ４に移行する。このクラッチ油圧漸増は、ロックアップクラッチ３６へのロックアップ用クラッチ油圧が所定の傾きで増圧するように前記油圧コントローラ３７の電磁弁３８への指令値を制御して行う。
【００２６】
前記ステップＳ４では、前記スロットル開度センサ１１で検出されたスロットル開度ＴＨや走行速度センサ１４で検出された走行速度Ｖに基づいてエンジン要求トルクＴEtを算出してからステップＳ６に移行する。これは、前記ロックアップクラッチ３６を締結することによりエンジン回転数がアイドル回転数以下に低下するのを防止するためであり、また運転者の意志に適合するように駆動力を大きくするためでもある。具体的には、まず走行速度Ｖ及びスロットル開度ＴＨが大きいほど大きくなる目標プロペラシャフトトルクＴPS* を算出する。なお、道路環境（登坂、降坂）や車重に応じて目標プロペラシャフトトルクＴPS* を補正するようにしてもよい。そして、変速装置４の変速比Ｒ及び差動装置３の歯数比（サンギヤ歯数／リングギヤ歯数）を用い、前記目標プロペラシャフトトルクＴPS* を変速比Ｒで除し、更に（１＋歯数比）で除してエンジン要求トルクＴEtを算出する。なお、エンジン回転数が所定値になるようにエンジン要求トルクＴEtを補正してもよい。
【００２７】
前記ステップＳ６では、モータ／発電機回転数ＮM/G が充放電効率“０”の所定回転数ＮM/G0以上になったか否かを判定し、当該モータ／発電機回転数ＮM/G が充電効率“０”の所定回転数ＮM/G0以上である場合にはステップＳ７に移行し、そうでない場合には前記ステップＳ３に移行する。前記ステップＳ３のロックアップクラッチ３６のクラッチ油圧漸増によって当該ロックアップクラッチ３６が滑りながらも締結し始め、それによりモータ／発電機回転数ＮM/G は前述したエンジン１と逆方向の負の回転から次第にエンジン１の回転方向、つまり正の回転方向に変換される。一方、図４に示すモータ／発電機２の回転数とトルクとの出力特性において、モータ／発電機は、一般に回転数とトルクとの積値に比例する出力が一定なので、回転数とトルクとは互いに反比例の関係になる（各象限の最も外側の曲線）。例えば、図７の第１象限、第３象限はモータ／発電機２の力行、蓄電装置６側からは放電の領域であり、第２象限、第４象限はモータ／発電機２の回生或いは発電、蓄電装置６側からは充電の領域である。このような出力特性のうち、モータ／発電機２の発電領域、つまり蓄電装置６の充電領域において、回転数又はトルク或いはその双方が小さい領域では、例えば損失等によって実質的に発電（充電）しない、或いはモータ／発電機２が回転するために蓄電装置６が放電してしまう、つまり電力を供給する必要がある。損失には、例えばモータ／発電機に流す電流による銅損、回転磁界を発生させることにより鉄損、インバータの素子やケーブルでの電力損失などが挙げられる。図では、その領域を斜線で示すが、従って、この斜線領域は、蓄電装置６にとっては充電効率が負の領域（放電領域）である。すると、充電効率が正の領域と負の領域との境界部分が充放電効率“０”ということになる。本実施形態では、この充放電効率“０”の境界部分において、モータ／発電機２の出力トルクをエンジン１の出力トルクと同方向に出力して車両の駆動トルクに用いる。この充電効率“０”の回転数のうち、回転数が負の領域で且つ正の出力トルクが得られる回転数を前記所定回転数ＮM/G0とする。
【００２８】
前記ステップＳ７では、それまで漸増したクラッチ油圧を、そのときのクラッチ油圧に保持してから前記ステップＳ８に移行する。即ち、これ以後、ロックアップクラッチ３６は滑りながらも或る程度の締結トルクでエンジン１とモータ／発電機２とを締結している。
前記ステップＳ８では、前記ステップＳ３と同様にして、エンジン要求トルクＴEtを算出してからステップＳ９に移行する。
【００２９】
前記ステップＳ９では、前記スロットル開度センサ１１で検出されたスロットル開度ＴＨ及び前記エンジン回転数センサ８で検出されたエンジン回転数ＮE からモータ／発電機要求トルクＴM/Gtを算出してからステップＳ１０に移行する。ここでは、図５に示す制御マップに従って設定する。即ち、エンジン回転数ＮE がアイドル回転数ＮEIDLE であるときには、アイドル回転状態にあるエンジントルクＴE とモータ／発電機要求トルクＴM/Gtとの加算値が前記クリープトルクとなるように設定し、エンジン回転数ＮE がアイドル回転数ＮEIDLE 以上である領域では、エンジン回転数ＮE の増加と共にモータ／発電機要求トルクＴM/Gtをリニアに増加設定する。スロットル開度ＴＨは、このモータ／発電機要求トルクＴM/Gtの増加傾きに用い、スロットル開度ＴＨが大きいほど増加傾きを大きく設定する。モータ／発電機要求トルクＴM/Gtの上限値は、勿論、モータ／発電機２の出力トルクの連続定格値である。
【００３０】
前記ステップＳ１０では、前記エンジン回転数センサ８で検出されたエンジン回転数ＮE とモータ／発電機回転数センサ９で検出されたモータ／発電機回転数ＮM/G との差から回転数差ΔＮを算出してからステップＳ１１に移行する。
前記ステップＳ１１では、前記ステップＳ１０で算出された回転数差の絶対値｜ΔＮ｜が予め設定された比較的小さな所定値ΔＮ0 以下であるか否かを判定し、当該回転数差の絶対値｜ΔＮ｜が所定値ΔＮ0 以下である場合にはステップＳ１２に移行し、そうでない場合には前記ステップＳ８に移行する。
【００３１】
前記ステップＳ１２では、ロックアップクラッチ３６を完全に締結するためにクラッチ油圧を所定の増大率で増圧してからステップＳ１３に移行する。
前記ステップＳ１３では、クラッチ油圧がロックアップクラッチ３６の完全締結のための所定値以上であるか否かを判定し、クラッチ油圧が所定値以上である場合にはステップＳ１４に移行し、そうでない場合には前記ステップＳ１２に移行する。具体的には、前記油圧スイッチ４０の出力信号がＯＮであるときにクラッチ油圧が所定値以上であり、ロックアップクラッチ３６が完全締結しているものと判定する。
【００３２】
前記ステップＳ１４では、ロックアップクラッチ３６を完全締結状態に維持するためにクラッチ油圧を最大値に保持してからステップＳ１５に移行する。
前記ステップＳ１５では、前記ステップＳ８と同様にして、エンジン要求トルクＴEtを算出してからステップＳ１６に移行する。但し、この場合には、ロックアップクラッチ３６が完全に締結して差動装置３は差動していないため、エンジン要求トルクＴEtは、前記目標プロペラシャフトトルクＴPS* を変速比Ｒで除した値となる。
【００３３】
前記ステップＳ１６では、前記ステップＳ９と同様にして、モータ／発電機トルクＴM/Gtを算出してからメインプログラムに復帰する。
この演算処理によれば、図４に太い矢印で示すように、車両の発進直後は、モータ／発電機トルクＴM/G を発生せず、ロックアップクラッチ３６を滑らせてモータ／発電機２を負の回転から正方向に近づける。そして、このモータ／発電機回転数ＮM/G が前記充放電効率“０”の所定回転数ＮM/G0になったときから、正のトルク、つまり駆動トルクを発生し、エンジン回転数ＮE とモータ／発電機回転数ＮM/G との回転数差の絶対値｜ΔＮ｜が所定値ΔＮ0 以下になったらロックアップクラッチ３６を完全締結し、その後、通常加速時のようにモータ／発電機要求トルクＴM/Gt及びエンジン要求トルクＴEtを設定して制御する。
【００３４】
本実施形態の車両発進時の作用について、図６のタイミングチャートを用いて説明する。図中のモータ／発電機トルクＴM/G のうち、実線は蓄電装置６の充電量が前記所定値以上である場合、破線はそうでない場合を示している。このタイミングチャートの時刻ｔ00では、未だブレーキペダルが踏込まれており、変速装置４の入力軸回転数、即ち遊星歯車機構２１のキャリア回転数ＮC は“０”であり、エンジン１はアイドリングに相当するエンジン回転数ＮE 一定で、モータ／発電機２は、そのエンジン回転数ＮE を吸収するように負の方向に、遊星歯車機構２１の歯数比α分の一で回転している。このとき、スロットル開度ＴＨは全閉、ロックアップクラッチ３６を締結させるクラッチ油圧は大気開放状態である。エンジントルクＴE は前記アイドリング状態に応じた小さな正値であり、それによりキャリアトルクＴC も小さな正値が負荷されている（実質的にはブレーキトルクによって駆動力は発現しない）。
【００３５】
この状態から、時刻ｔ01でブレーキペダルの踏込みを開放すると、ブレーキトルクから開放されたエンジン回転数ＮE が少し増加し、遊星歯車機構２１のキャリア回転数ＮC 、即ち変速装置４の入力軸回転数が増加するため、車両はクリープモードとなって、所謂クリープ走行に移行する。このエンジン回転数ＮE 及びキャリア回転数ＮC の増加に伴って、エンジントルクＴE 及びキャリアトルクＴC はわずかに減少する。また、これらに伴って、モータ／発電機２もエンジン１と共回りするようになり、モータ／発電機回転数ＮM/G も少し大きくなる（正回転に近づく）。
【００３６】
その後、時刻ｔ02でアクセルペダルが踏込まれると、発進モードとなり、前記図３の演算処理が開始される。もし、蓄電装置６の充電量が小さい場合には、図６に破線で示すように、パラレルハイブリッド車両の特性として、モータ／発電機回転数ＮM/G が小さいときに、トルク発生効率のよいモータ／発電機２を駆動源として積極的に活用するのが好ましいので、この発進以後、モータ／発電機トルクＴM/G を積極的に立上げ、エンジン回転数ＮE の増大を抑制して燃費の向上を図る。しかしながら、負の方向に回転しているモータ／発電機２に正のトルク、つまり駆動トルクを発生させると発電するので、蓄電装置６の充電量が大きいときには当該蓄電装置６が過充電状態になる。そのため、蓄電装置６の充電量が前記所定値以上である場合には、図６に実線で示すように、前記時刻ｔ02以後、クラッチ油圧を漸増してロックアップクラッチ３６を滑らせながら、エンジントルクＴE を増大し、モータ／発電機回転数ＮM/G のみを増大、即ち正の方向に近づける。
【００３７】
そして、モータ／発電機回転数ＮM/G が前記充放電効率“０”の所定回転数ＮM/G0以上となる時刻ｔ03以後、クラッチ油圧をそのときの油圧に保持してロックアップクラッチ３６を或る程度滑らせながら、モータ／発電機トルクＴM/G として正のトルク、即ち駆動トルクを発生させ、更にモータ／発電機回転数ＮM/G を正方向に変換する。この場合には、前述したようにモータ／発電機回転数ＮM/G （の絶対値）が小さいので、仮に発電が行われていても蓄電装置６には充電されず、その結果、蓄電装置６が過充電状態になることはない。また、モータ／発電機２が正回転し、モータ／発電機回転数ＮM/G が前記充放電効率“０”の領域から外れても、例えば図４に示すように、モータ／発電機２自体は電力を消費、即ち蓄電装置６は放電する状態になるので、同じく過充電の恐れはない。なお、前記要求加速度を達成するための目標プロペラシャフトトルクＴPS* のうち、モータ／発電機トルクＴM/G が増大する分だけ、エンジントルクＴE の負担分が減少し、その結果、エンジントルクＴE の減少に先んじてエンジン回転数ＮE は減少に転ずる。
【００３８】
やがて、時刻ｔ04でエンジン回転数ＮE とモータ／発電機回転数ＮM/G との回転数差の絶対値｜ΔＮ｜が所定値ΔＮ0 以下となると、クラッチ油圧が増大されてロックアップクラッチ３６が完全締結状態となり、エンジン回転数ＮE 及びモータ／発電機回転数ＮM/G 及びキャリア回転数ＮC は同期運転状態に移行する。
なお、このロックアップクラッチ３６の完全締結をもって、前記図３の演算処理は終了され、その後、車両はエンジン１の出力で駆動されるようにするためにモータ／発電機トルクは次第に減少してゆく制御が継続されて行われた。
【００３９】
このように、本実施形態によれば、車両の発進時において、蓄電装置６の充電量が所定値以上であるときにはロックアップクラッチ３６の締結を開始することにより、ロックアップクラッチ３６を滑らせながら、エンジン１と逆方向に回転しているモータ／発電機２をエンジン１の回転方向に近づけ、モータ／発電機回転数ＮM/G が充放電効率“０”の所定回転数ＮM/G0以上になってからモータ／発電機トルクＴM/G を駆動トルクとして発生させることができ、モータ／発電機２の発電を回避して蓄電装置６の過充電を防止することができる（請求項１に係る発明の効果）。
【００４０】
また、車両の発進時で且つ蓄電装置６の充電量が所定値以上であるときには、エンジン１の回転方向と逆方向に回転しているモータ／発電機２のモータ／発電機回転数ＮM/G が前記蓄電装置６との充放電効率“０”の所定回転数ＮM/G0になるまでは駆動トルクを出力せず、当該モータ／発電機回転数ＮM/G が充放電効率“０”の所定回転数ＮM/G になってから駆動トルクを出力するように制御することにより、モータ／発電機２の発電自体を回避して蓄電装置６の過充電を防止することができる（請求項２に係る発明の効果）。
【００４１】
また、車両の発進時で且つ蓄電装置６の充電量が所定値以上であるときには、エンジン１の回転方向と逆方向のモータ／発電機回転数ＮM/G が蓄電装置６との充放電効率“０”の所定回転数ＮM/G0になったときにクラッチ油圧を保持してロックアップクラッチ３６の締結状態をそのときの締結状態に保持し、エンジン回転数ＮE とモータ／発電機回転数ＮM/G との回転数差の絶対値｜ΔＮ｜、即ち差動装置３の第１軸乃至第３軸の回転数差（の絶対値）が所定値ΔＮ0 以下になったときにロックアップクラッチ３６を完全に締結することにより、ロックアップクラッチ３６を滑らせながらモータ／発電機２で駆動トルクを出力させてエンジン回転数ＮE とモータ／発電機回転数ＮM/G との回転数差の絶対値｜ΔＮ｜が所定値ΔＮ0 以下となるタイミングを早め、もってロックアップクラッチ３６の発熱を最小限に抑制することができる。
【００４２】
次に、本発明のパラレルハイブリッド車両の第２実施形態について説明する。この実施形態の車両の概略構成や差動装置は、前記第１実施形態の図１及び図２のものと同様である。本実施形態では、前記車両発進時に行われるエンジントルク及びモータ／発電機トルク制御の演算処理が、前記第１実施形態の図３のものから図７のものに変更されている。この図７の演算処理は、前記第１実施形態の図３の演算処理に類似しており、殆どが同等のステップである。そこで、同等のステップには同等の符号を付して、その詳細な説明を省略する。図７の演算処理と図３の演算処理との相違は、前記ステップＳ４とステップＳ６との間に、新たにステップＳ５が介入されている点である。
【００４３】
前記ステップＳ５では、モータ／発電機要求トルクＴM/Gtを算出してから前記ステップＳ６に移行する。ここでは、前記第１実施形態の図３の演算処理のステップＳ９と同様に、前記図５の制御マップに従って、エンジン回転数ＮE 及びスロットル開度ＴＨからモータ／発電機要求トルクＴM/Gtを一旦算出するが、このときロックアップクラッチ３６が滑っていることによって当該ロックアップクラッチ３６が分担しているトルク分を減算し、それを最終的なモータ／発電機要求トルクＴM/Gtに設定する。ロックアップクラッチ３６が滑ると、その部分でトルクが増大される。このトルクの増大代は、周知のようにロックアップクラッチ３６の締結トルク、クラッチプレートの摩擦係数、クラッチプレート間の滑り速度、クラッチプレートの有効面積等によって算出される。従って、ロックアップクラッチ３６が滑っているときのモータ／発電機要求トルクＴM/Gtは、当該ロックアップクラッチ分担トルク分だけ、通常時より小さな値となる。
【００４４】
この演算処理によれば、図８に太い矢印で示すように、車両の発進直後から、ロックアップクラッチ３６を滑らせながらモータ／発電機トルクＴM/G を小さな駆動トルクとして発生させ、モータ／発電機２を速やかに負の回転から正方向に近づける。そして、このモータ／発電機回転数ＮM/G が前記充放電効率“０”の所定回転数ＮM/G0になったときから通常の駆動トルクを発生し、エンジン回転数ＮE とモータ／発電機回転数ＮM/G との回転数差の絶対値｜ΔＮ｜が所定値ΔＮ0 以下になったらロックアップクラッチ３６を完全締結し、その後、通常加速時のようにモータ／発電機要求トルクＴM/Gt及びエンジン要求トルクＴEtを設定して制御する。
【００４５】
本実施形態の車両発進時の作用について、図９のタイミングチャートを用いて説明する。図中のモータ／発電機トルクＴM/G のうち、実線は蓄電装置６の充電量が前記所定値以上である場合、破線はそうでない場合を示している。このタイミングチャートの時刻ｔ10から時刻ｔ12までは、前記第１実施形態の作用の説明に用いた図６のタイミングチャートの時刻ｔ00から時刻ｔ02までと同じである。
【００４６】
このタイミングチャートでは、時刻ｔ12でアクセルペダルが踏込まれると、発進モードとなり、前記図７の演算処理が開始される。もし、蓄電装置６の充電量が小さい場合には、前述と同様、図９に破線で示すように、発進以後、モータ／発電機トルクＴM/G を積極的に立上げ、エンジン回転数ＮE の増大を抑制して燃費の向上を図る。しかしながら、蓄電装置６の充電量が前記所定値以上である場合には、図９に実線で示すように、前記時刻ｔ12以後、クラッチ油圧を漸増してロックアップクラッチ３６を滑らせながら、エンジントルクＴE を増大すると共に、前記ロックアップクラッチ３６の分担トルク分だけ、前記充電量が小さいときよりも、小さなモータ／発電機トルクＴM/G を駆動トルクとして発生し、もってモータ／発電機回転数ＮM/G を速やかに増大、即ち正の方向に近づける。
【００４７】
そして、モータ／発電機回転数ＮM/G が前記充放電効率“０”の所定回転数ＮM/G0以上となる時刻ｔ13以後、前記第１実施形態と同様に、クラッチ油圧をそのときの油圧に保持してロックアップクラッチ３６を或る程度滑らせながら、モータ／発電機トルクＴM/G として正のトルク、即ち駆動トルクを発生させ、更にモータ／発電機回転数ＮM/G を正方向に変換する。この場合にも、前述したようにモータ／発電機回転数ＮM/G （の絶対値）が小さいので、仮に発電が行われていても蓄電装置６には充電されず、その結果、蓄電装置６が過充電状態になることはない。また、モータ／発電機２が正回転し、モータ／発電機回転数ＮM/G が前記充放電効率“０”の領域から外れても、例えば図８に示すように、モータ／発電機２自体は電力を消費、即ち蓄電装置６は放電する状態になるので、同じく過充電の恐れはない。
【００４８】
やがて、時刻ｔ14でエンジン回転数ＮE とモータ／発電機回転数ＮM/G との回転数差の絶対値｜ΔＮ｜が所定値ΔＮ0 以下となると、クラッチ油圧が増大されてロックアップクラッチ３６が完全締結状態となり、エンジン回転数ＮE 及びモータ／発電機回転数ＮM/G 及びキャリア回転数ＮC は同期運転状態に移行する。
このように、本実施形態では、前記第１実施形態の作用・効果に加え、車両の発進時で且つ蓄電装置６の充電状態が所定値以上であるときには、エンジン１の回転方向と逆方向のモータ／発電機回転数ＮM/G が蓄電装置６との充放電効率“０”の所定回転数ＮM/G0になるまでのモータ／発電機トルクＴM/G 、即ち駆動トルクを、蓄電装置６の充電状態が所定値未満であるときのモータ／発電機トルクＴM/G よりも小さな値に制御することにより、発電量を最小限に抑えながらモータ／発電機回転数ＮM/G が蓄電装置６との充放電効率“０”の所定回転数ＮM/G0以上となるタイミングを早め、もってロックアップクラッチ３６の発熱量を低減することが可能となる（請求項３に係る発明の効果）。
【００４９】
なお、前記各実施形態では、コントローラにマイクロコンピュータを用いた場合について説明したが、これに代えて各種の演算回路を使用することも可能である。
また、蓄電装置の充電量に応じて第１実施形態と第２実施形態を切換えるようにしてもよい。即ち、第１充電量＜第２充電量の関係において、充電量が第１充電量以上第２充電量未満の発進時には、第２実施形態のように、モータ／発電機トルクを蓄電装置が第１充電量未満の場合の発進時よりも小さな値で制御しつつ、ロックアップクラッチを締結させながら発進させ、充電量が第２充電量以上の発進時には、第１実施形態に示したように、充放電効率＝０となる所定回転数までロックアップクラッチの締結を行い、その後、モータ／発電機にて正トルクを出力するように制御してもよい。これにより、車両の発進加速性と蓄電装置の過充電防止の両立を図ることができる。
また、前記ロックアップクラッチ３６の位置は、前記実施形態に記載される位置に限ったものではなく、サンギヤーキャリア間、キャリアーリングギヤ間にあってもよい。
また、前記遊星歯車機構の３要素と、エンジン、モータ／発電機、出力の結合方法は、前記実施形態のものに限定されるものではない。
【図面の簡単な説明】
【００５０】
【図１】本発明のパラレルハイブリッド車両の第１実施形態を示す概略構成図である。
【図２】図１のパラレルハイブリッド車両に用いられる差動装置の一例を示す模式図である。
【図３】図１のコントローラ内で行われる車両発進時の演算処理を示すフローチャートである。
【図４】図３の演算処理の内容の説明図である。
【図５】図３の演算処理で用いられる制御マップである。
【図６】図３の演算処理の作用を説明するタイミングチャートである。
【図７】本発明のパラレルハイブリッド車両の第２実施形態を示す車両発進時の演算処理のフローチャートである。
【図８】図７の演算処理の内容の説明図である。
【図９】図７の演算処理の作用を説明するタイミングチャートである。
【符号の説明】
【００５１】
１はエンジン
２はモータ／発電機（電気的回転駆動源）
３は差動装置
４は変速装置
５は駆動輪
６は蓄電装置
７はモータ／発電機駆動回路
８はエンジン回転数センサ
９はモータ／発電機回転数センサ
１０はインヒビタースイッチ
１１はスロットル開度センサ
１２はモータ／発電機用コントローラ
１３はオイルポンプ
１４は走行速度センサ
１５はブレーキ液圧センサ
２１は遊星歯車機構
３６はロックアップクラッチ
３７は油圧コントローラ（締結制御手段）
３８は電磁弁
３９は調圧弁
３０は油圧スイッチ
ＯＷＣはワンウエイクラッチ
Ｓはサンギヤ
Ｐはピニオン
Ｒはリングギヤ
Ｃはピニオンキャリヤ
【図１】
2005176481.tif 000003
【図２】
2005176481.tif 000004
【図３】
2005176481.tif 000005
【図４】
2005176481.tif 000006
【図５】
2005176481.tif 000007
【図６】
2005176481.tif 000008
【図７】
2005176481.tif 000009
【図８】
2005176481.tif 000010
【図９】
2005176481.tif 000011